(57)【要約】      （修正有）【課題】この発明は、年賀状などの挨拶状の印刷役務の申込みカタログに係るものであって、なかでも、顧客が提供を求める印刷役務の内容やそれに伴う申込み条件などをくい違うことなく伝達でき、併せて、それらを厳格に認識できる申込みカタログを提供する。【解決手段】年賀状などの挨拶状の内容などが印刷される印刷役務が紹介される折り丁１０と、これらの印刷役務の提供を申込む申込用紙３０とを一体に具え、この申込用紙３０を折り丁１０に記載した申込用紙の書き込み例に対しとじ線をはさんで対応する頁に丁合してなるものである。【選択図】図２
2005153406.tif 000002
【特許請求の範囲】
【請求項１】
年賀状などの挨拶状の内容をデザインおよび様式などで分けたモデルに顧客の個人情報などを加えて印刷できる印刷役務が紹介される折り丁と、これら折り丁の前記印刷役務のうちから選んだ印刷役務の提供を申込む申込用紙とを具え、この申込用紙を前記折り丁に記載した申込用紙の書き込み例に対しとじ線をはさんで対応する頁に丁合し、製本して成ることを特徴とする年賀状などの挨拶状の印刷役務の申込みカタログ。
【請求項２】
前記申込用紙を少なくとも３枚の感圧記録紙から構成し、これら各感圧記録紙の側縁を粘着剤を介して互いに剥離できるよう粘着して一体化して成ることを特徴とする請求項１記載の年賀状などの挨拶状の印刷役務の申込みカタログ。
【請求項３】
前記折り丁の少なくとも一つの折り丁の側部に沿って粘着剤を介して前記申込用紙を折り丁紙面から剥離できるよう粘着して成ることを特徴とする請求項１又は２記載の年賀状などの挨拶状の印刷役務の申込みカタログ。
【請求項４】
少なくとも３枚の前記申込用紙を互いに粘着する粘着剤の粘着強度を前記申込用紙を前記折り丁に粘着する粘着剤の粘着強度より小さくすることを特徴とする請求項１、２又は３記載の年賀状などの挨拶状の印刷役務の申込みカタログ。
【請求項５】
前記挨拶状が年賀状又は喪中、結婚、出産、転居の挨拶状から成ることを特徴とする請求項１、２、３又は４記載の年賀状などの挨拶状の印刷役務の申込みカタログ。
【発明の詳細な説明】
【技術分野】
【０００１】
本発明は年賀状などの挨拶状の印刷役務の申込みカタログに係るものであって、なかでも、顧客からの申込みを受けて年賀状などを印刷する印刷役務が紹介される折り丁とともに、この印刷役務の提供をコンビニエンスストアなど経由して申込む申込用紙が丁合されて綴られている年賀状などの印刷役務の申込みカタログに係るものである。この申込みカタログを用いると、顧客は、提供を求める印刷役務の内容やそれに伴う申込み条件などをくい違うことなくコンビニエンスストア側などに伝達でき、この年賀状などの印刷役務をコンビニエンスストア側などでも責任をもって提供できる年賀状などの印刷役務の申込みカタログに係るものである。
【０００２】
なお、以下において、年賀状などの印刷役務の提供を申込む相手方としてコンビニエンスストアの例を中心として説明するが、申込む相手は印刷役務を提供又は請負ってこれを自己の責任のもので完成できるものであればいずれのものも含まれる。
【背景技術】
【０００３】
一般に、年賀状その他挨拶状の印刷役務はその役務が提供できる印刷業者に直接申込んで提供されている。最近は、コンビニエンスストアやス−パ−マ−ケットやデパ−トなどの大型店でも、直接印刷などの役務が提供できないにもかかわらず、年賀状などを間違いなく印刷することを約束して請負うことが行なわれ、むしろ、年賀状などの印刷役務の提供では一般化している。
【０００４】
すなわち、コンビニエンスストアなどは、自己の責任をもって提供できる役務として年賀状などを印刷役務の内容を紹介するカタログを店頭におき、顧客がこのカタログから所望の年賀状の印刷役務を選び、それに個人情報などを加えて所定の申込用紙に書き込んで申込むようになっている。
【０００５】
この申込みは、コンビニエンスストア側はカタログによって提供できる印刷役務、要するに年賀状などの印刷役務の完成を保障することを約束し、顧客はその結果に対し報酬を支払うことを約束することによって成立するもので、請負契約である。
【０００６】
したがって、店頭におかれたカタログと書き込まれた申込用紙とが一体になって契約がはじめて成立するものであるが、申込用紙は通常カタログとは別々に作製され、店頭で分離して別々のところにおかれている。このため、顧客が書き込む申込用紙がカタログの内容に対応しないものであったり、対応するものでもカタログの内容に沿って書き込んでいないこともある。このため、顧客と相手方のコンビニエンスストアとの間で意思のくい違いを生じ、トラブルの原因ともなっている。
【０００７】
このところから、近年は、消費者保護の観点から法的整備もなされ、役務の提供を含めて商品の販売などには必ず契約書が必要であると規定されるようになっている。しかしながら、年賀状などの印刷の請負はカタログで紹介される印刷役務の提供を申込用紙によって求めるものであるにもかかわらず、カタログと申込用紙とが一体に綴られてそれによって明確な契約書をなすものは見当らない。
【０００８】
すなわち、年賀状などの他の印刷という役務の提供を依頼されるコンビニエンスストアは印刷業者でなくこのような役務を自からは提供することはできない。
【０００９】
一方、年賀状などの印刷役務は他のものと異なって共通した一定の印刷のほかに顧客の趣向や一年間の生活情報なども加えられるものであって、内容や型式はきわめて多岐にわたり多様になることが多い。
【００１０】
このような内容の印刷役務をコンビニエンスストアに対し申込むときには、少なくとも３通の同内容の申込用紙を用いて申込むこととなり、顧客用およびコンビニエンスストア用のほかに印刷役務を提供する印刷業者用も必要になる。また、少なくとも３枚の申込用紙はノ−カ−ボン紙を少なくとも３枚重ねたものから構成され、申込みのときに、同内容のものが３枚同時に得られるようになっている。
【００１１】
しかし、このような一組の申込用紙は書き込むと同内容のものが３枚同時に得られるもので、印刷役務などを紹介するカタログとは紙質、様式、印刷方式が全く異なっている。このため、これら紙質などの相違するものをカタログなどを構成する折り丁とともに一緒に丁合して頁を合わせしてとじ製本するのには手間がかかり、さらに、仮りに、申込用紙を一緒にとじ合わせても申込みのときにカタログから一組の申込用紙（少なくとも３枚）を例えば切りとり線で切り離してから書き込むことになる。このため、申込みに手間がかかり、必ずしも明確に申込めるとは限らない。
【００１２】
このように役務の提供を求める請負契約と異なって、一定の行為をした人に対し一定の報酬を与える懸賞広告が知られ、この懸賞広告についてその懸賞の内容を紹介するカタログや雑誌の中に申込み書や申込用紙を一体に組み込んだものも提案されている。しかし、これらカタログや雑誌の示すところは、一定の行為をした申込み者に対し懸賞やプレゼントなどの報酬を与えるものである。この申込みは懸賞の公募などであって、コンビニエンスストア側に年賀状などの印刷役務の提供を求める請負契約と異なり、法律的にも単独行為ともいわれる説があるように、請負契約とは法律的性質が異なり、申込み者（応募者）や相手方が負担する法的責任もほとんどない。
【００１３】
例えば、特開２００１−２９０９３０号公報には個人情報収集のためのアンケ−ト項目を商品券に設けることが提案されている。この商品券にはアンケ−ト欄が設けられているため、商品券使用時にアンケ−ト欄記載の個人情報が確実に収集できるというところに重点をおいたものである。また、特開平８−１０４０８１号公報に記載されるク−ポン券も同様な目的で商品券に代ってク−ポン券にアンケ−ト回収欄を設けたものである。
【００１４】
さらに、特開２００３−１９１６６３号公報にも同様に懸賞応募者がわざわざ購入する懸賞応募雑誌に個人情報収集のためのアンケ−ト用紙と懸賞応募用紙を一体に組み込んで懸賞に応募し易いように構成し、併せて個人情報の回収率を高めるものも提案されている。
【００１５】
この懸賞雑誌は、各種のプレゼントや懸賞（クイズ）がまとめて紹介されているものであって、その中にはとじ込み台紙を介して応募用の返信用封筒および葉書のほかにアンケ−ト用紙が一体に組み込まれている。とくに、アンケ−ト用紙は応募の際の解答を書き込むもので、懸賞の解答のほかに例えば応募者の住所、氏名、年齢、男女の区別、勤務先、車購入希望の有無、保険加入希望の有無、住宅取得の有無、住宅転居希望の有無、海外旅行希望の有無等の個人情報を書き込むことが応答の有効条件になっている。
【００１６】
したがって、懸賞などに興味がある人々はこの懸賞雑誌を買い、懸賞などの応募対象を決め、封筒や葉書およびアンケ−ト用紙を雑誌から切り離して郵送によって応募すると、収集したい個人情報が回収できる仕組みとなっている。
【００１７】
要するに、この懸賞雑誌に組み込まれているアンケ−ト用紙は懸賞応募のための申込用紙、つまり懸賞応募用紙であって、顧客が年賀状印刷という役務の提供を申込み、その結果に対する報酬の支払いを約束するという、申込み書、つまり請負契約書とは全く異なる。
【特許文献１】特開２００１−２９０９３０号公報
【特許文献２】特開平８−１０４０８１号公報
【特許文献３】特開２００３−１９１６６３号公報
【発明の開示】
【発明が解決しようとする課題】
【００１８】
本発明は上記欠点の解決を目的とし、具体的には、コンビニエンスストアなどの側が自己の責任で提供できる年賀状などの印刷役務を具体的に明示して紹介する一方、これら印刷役務から所望の印刷役務を選択し、この選択した印刷役務を特定かつ明示して提供を求めることができる年賀状などの印刷役務の申込みカタログを提案する。
【課題を解決するための手段】
【００１９】
すなわち、本発明に係る年賀状などの印刷役務の申込みカタログは、年賀状などの挨拶状の内容をデザインおよび様式などで分けたモデルに顧客が個人情報などを加えて印刷する印刷役務が紹介される折り丁に対し、これら折り丁に紹介される印刷役務のうちで選んだ印刷役務の提供を申込む申込用紙を組み合わせ、この申込用紙が折り丁の申込用紙記載例を書いた記載紙面に対しとじ線をはさんで対応する頁に丁合し製本して成るものである。
【００２０】
また、申込用紙を少なくとも３枚の透写用ノ−カ−ボン紙から構成し、これらノ−カ−ボン紙の側縁を粘着剤を介して剥離できるよう一体に粘着する。
【００２１】
また、折り丁のうちの少なくとも１つの折り丁に対しその側部を粘着剤を介して申込用紙を折り丁の紙面から剥離できるよう粘着する。
【００２２】
また、少なくとも３枚の申込用紙を互いに粘着する粘着剤の粘着強度は申込用紙を折り丁に粘着する粘着剤の粘着強度より小さくする。
【００２３】
また、挨拶状が年賀状のほか喪中、結婚、出産、転居の挨拶状から成っている。
【発明の効果】
【００２４】
顧客は年賀状などの印刷を依頼する際に、上記構成の申込みカタログはその請負契約書を成し、顧客の申込みと相手方のコンビニエンスストアの承諾とが明確に確認できる。
【００２５】
顧客は申込用紙にその記載例と対比しながら書き込むことができ、申込みの内容を間違いなく相手方に伝達できる。
【００２６】
顧客は申込用紙の書き込み欄が多岐にわたってもその記載例を参照しつつ書き込むことができ、さらに、提供する印刷役務か細部にわたって符号化しても、その符号は記載例を参照しながら用いることもできるため、細部にわたる印刷仕様を書き込むことができる。
【発明を実施するための最良の形態】
【００２７】
そこで、このような課題を解決する手段たる本発明の構成についてその実施例を中心としてさらにくわしく説明すると、つぎのとおりである。
【００２８】
なお、図１は本発明の一つの実施例に係る年賀状などの印刷役務の申込みカタログを開いたときの説明図である。
【００２９】
図２は図１に示す印刷役務の申込みカタログにおいて紹介される印刷役務の一例の説明図である。
【００３０】
図３は図１および図２に示す印刷役務の申込みカタログの製造工程の一例を示すフロ−シ−トである。
【００３１】
まず、図１において符号１００は本発明の一つの実施例に係る印刷役務の申込みカタログ（以下、単に申込みカタログという。）を全体的に示す。この申込みカタログ１００には綴られた折り丁１０の各頁には顧客が申込むことのできる年賀状などの印刷の役務が紹介され、コンビニエンスストアや商店の店頭などに置かれ、各折り丁１０の紙面に紹介される印刷役務から顧客が選び、その印刷役務の提供をコンビニエンスストアなどに求めるように構成されている。また、申込みカタログ１００の各折り丁１０の紙面の印刷役務２０は年賀状などのデザインや様式などを配慮して、例えば、モデル１……ｎに分けて紹介され、このため顧客は各モデルの番号、例１……ｎを選び、そのモデル番号を後記のとおり申込み書３０の所定欄に記載し、それに、少なくとも印刷すべき印刷役務として、氏名、住所などの申込み者の個人情報や、そのほかに印刷にともなう連絡事項などを加え、コンビニエンスストアなどに申込むことができるように構成されている。
【００３２】
このように紹介される年賀状などの印刷役務は、申込みカタログ１００全体にわたって、デザインや様式のほかに印刷が単色か多色か、印刷すべき干支の図柄やキャラクタ−などによって仕分けでき、さらに、持込み写真入りのポストカ−ドなどによっても仕分けできる。
【００３３】
なお、提供できる印刷役務について顧客の需要などを配慮して仕分け基準をなるべく細分化して符号や番号をふって、これを組み合わせて印刷仕様を詳細に示すようにすると、申込み書の所定欄に符号や番号を記入するのみで複雑な印刷役務の内容を細部にわたって紹介することができる。
【００３４】
以上のとおり、本発明に係る申込みカタログ１００で綴られた各頁の折り丁１０には年賀状などの提供できる印刷役務の内容を紹介するものであって、このところは従来例のものとは変わるところがなく、本発明を構成するものでない。
【００３５】
しかしながら、本発明に係る申込みカタログ１００は、通常のカタログのように、提供できる印刷役務２０がオフセット印刷されている折り丁１０に対し、この印刷役務の提供を依頼する申込用紙又は申込み書３０（以下、統一して申込み書３０という）が組み合わされて丁合され、一体に製本して構成するものであって、このところが本発明の一つの特徴である。
【００３６】
すなわち、本発明に係る申込みカタログ１００において丁合され製本される各折り丁１０には、上記のとおり、仕分けした印刷役務２０のモデル１……ｎがオフセット印刷され、所定の寸法に断裁されてから例えば２つ折りされてカタログの各頁を構成される。このような折り丁１０を重ねて丁合するときに、これら折り丁１０の一部に申込み書３０を丁合して製本する。この製本にあたって、予め一部の折り丁１０の側縁に沿って申込み書３０を所定の粘着剤を介して粘着しておくと、後記のように通常の丁合機を用いて丁合でき、とくに、顧客は選んだ印刷役務に対応する申込み書を用いて正確に申込みできる。
【００３７】
すなわち、本発明に係る申込みカタログ１００はそれと一体に申込み書３０が組み合わされている。このため、この申込みカタログ１００は顧客とコンビニエンスストアとの間では各折り丁１０の紙面に紹介される印刷役務はそのままコンビニエンスストアが責任をもって請負う役務となり、顧客が申込む役務になり、顧客ははっきりと明示して意思表示できる。
【００３８】
更にくわしく説明すると、年賀状などの印刷役務は年賀そのものが元々年頭の挨拶であることから、挨拶文そのものは固定化し、パタ−ン化している。このため、年賀状などの印刷役務の紹介のために各種のカタログが提案され、印刷業者でないコンビニエンスストアで請負って印刷することが行なわれている。しかしながら、最近は年賀状そのものもパタ−ン化した年頭の挨拶以外に過ごした一年間の生活記録などを書き加えられ、むしろ、このところに重点をおいた年賀状も多くなっている。個性的な内容の印刷役務の提供を求めることはむしろ一般的である。
【００３９】
このような顧客の要求に応じてカタログも多岐にわたる印刷役務を詳細に紹介するものも多くなって、提供できる印刷役務を紹介するカタログはオフセット印刷により大量に印刷し、これら印刷役務をコンビニエンスストアに申込む申込み書は請負契約の基本となるため、カタログとは別に調製され提供されている。
【００４０】
また、申込み書３０はコンビニエンスストアで受付けられ、受付けた印刷役務は印刷会社に伝達され、そこで、実際に印刷役務が提供されることになる。このため、申込み書３０は通常少なくとも３枚は同じ内容のものが必要であり、これらはコンビニエンスストアに対する契約書であり、コンビニエンスストアの印刷業者に対する仕様書である。このため、少なくとも３枚の申込み書は別刷りに調製されている。
【００４１】
一方、カタログにより提供される印刷役務が多岐になり複雑になると、申込み書の記載欄や記載項目が多くなる。このため、顧客が実際に申込み書を書き込むときに、申込み書の記載欄や記載欄とカタログの内容との対応が理解できないこともあり、顧客とコンビニエンスストアとの間でくい違いが起り、トラブルに至ることになる。
【００４２】
このようなところから、本発明においては、図２に示すように、年賀状などの印刷役務の内容が紹介される折り丁に対しこの印刷役務を申込み書を組み合わせて丁合するときに、この折り丁の少なくとも一部に記載した申込み書の記載例３１に対しとじ線４０をはさんで対応する頁に丁合させて製本して構成する。このように構成すると、申込みのときに本発明に係る申込みカタログを開いて申込むときに、申込み書に対応してその書き込み例が示されているため、印刷役務が細分化又は符号化して示されていても誰でも誤りなく対比して書き込むことができる。
【００４３】
この一体に組み合わせる申込み書は少なくとも同一内容がコンビニエンスストアなどで受付けられ、併せて、実際にサ−ビスを行なう印刷業者に伝達されるように構成する必要がある。いずれの複写紙を用いることができるが、好ましくは、ノ−カ−ボンなどの複写紙を用いる。
【００４４】
この申込み書は一緒に丁合させる印刷役務の紹介折り丁とは性質が相違し、一体に綴ることはむづかしい。
【００４５】
このように印刷方式や紙質が異なる折り丁１０と申込み書３０とを組み合わせ、一体に綴って製本するのには、図３に示すステップを経て製本することができる。
【００４６】
まず、年賀状の印刷役務が紹介される折り丁１０は、ステップＳ1を経て、その役務を通常のオフセット印刷などで印刷し、これを通常２つ折りにより折り丁１０を調製し、これら折り丁１０は丁合機で頁順に合わせながら丁合され、一体にとじられる。
【００４７】
一方、申込み書３０は少なくとも３枚のノ−カ−ボン紙を用いて印刷され、同一内容が複写されるよう、例えば３枚一組のものとして構成される。ノ−カ−ボン紙は感圧記録紙とも云われるもので、その一つであって、３枚一組のものは上用紙、中用紙、下用紙から成っているが、ノ−カ−ボン紙以外の感圧記録紙でも十分にその目的が達成できるため、用いることができる。
【００４８】
したがって、ノ−カ−ボン紙から成る申込み書３０は折り丁１０とは性質が異なり、上用紙（例えば印刷原稿用）、中用紙（コンビニエンスストア用）、下用紙（顧客用）とそれぞれの用途に合わせて用いられることから、互いに剥離し易く接合するため、所定の粘着剤を用いて側縁を粘着し、一体化をはかって調製する。（ステップＳ2）さらに、申込み書３０は一体化されたものを折り丁１０に組み込んで丁合するときに全く寸法を合わせることがむづかしいため、申込み書３０の用紙寸法は折り丁１０より僅かに大きくし、丁合してから、そのにげ部分を断裁できるようにする。例えば、申込み書３０の用紙寸法を折り丁１０の用紙寸法と幅だけ合わせると、次に示すとおり、折り丁１０の寸法に合わせて容易に一体化できる。このため、申込み書３０の用紙寸法は幅だけ合わせ、長さは僅かに長くする。
【００４９】
次に、以上のとおり用紙寸法がステップＳ1を経て丁合される折り丁１０から僅かに大きくし調製し一体に粘着した申込み書３０は例えば１枚又はそれ以上の折り丁１０の側縁に粘着し、この申込み書３０に粘着した折り丁１０もステップＳ1で連続的に丁合し、製本後申込み書３０のにげ部分（縦方向で突出する部分で図２において点線で示す。）を断裁する。
【００５０】
すなわち、申込み書３０を粘着した折り丁１０を丁合するときに、丁合機の各ステ−ションにおいて、この折り丁１０の申込み書３０は製本後に申込みカタログ１００のとじ線４０をはさんで隣接折り丁１０の申込み書記載例と左右に対応できるようにセットして丁合する。このように丁合すると、申込みカタログ１００の折り丁１０の紙面において申込み書記載例と左右に対応した頁に申込み書３０は丁合されることとなって、顧客は対応する申込み書記載例をみながら間違いなく書き込むことができる。
【産業上の利用可能性】
【００５１】
この発明は、年賀状などの挨拶状の印刷役務の申込みカタログに係るものである。したがって、この申込みカタログは、はっきりとした意思表示のもとで顧客は提供を求める印刷役務の内容やそれに伴う申込み条件などをくい違うことなくコンビニエンスストア側などに伝達できる一方、コンビニエンスストア側などでも責任をもって提供できることを約束するもので、年賀状などの印刷役務の申込みのほか、広く一般に結婚、おくやみ、挨拶、名刺の印刷にも適用できる。
【００５２】
さらに、このような顧客とコンビニエンスストアとの間を申込みや印刷役務の紹介をホ−ムペ−ジを介して行なうこともできる。すなわち、申込みはホ−ムペ−ジで紹介される申込みにしたがってインタ−ネットを介して顧客が行ない、それに伴っての差出人の氏名、住所、電話番号などを開示しその印刷役務の申込みを行なう。これに対し、コンビニエンスストア側がそれに伴ってコンビニエンスストア側で開示された顧客の開示デ−タの保障義務を前記申込みカタログの内容を通して約束する。このようにすると、顧客に対して開示義務の保持を保障が与えられるため、年賀状などの印刷に併せて差出人の住所、氏名などの印刷も依頼でき、顧客に大きなサ−ビスを与えることができる。
【図面の簡単な説明】
【００５３】
【図１】本発明の一つの実施例に係る年賀状などの印刷役務の申込みカタログを開いたときの説明図である。
【図２】図１に示す印刷役務の申込みカタログにおいて紹介される印刷役務の一例の説明図である。
【図３】図１および図２に示す印刷役務の申込みカタログの製造工程の一例を示すフロ−シ−トである。
【符号の説明】
【００５４】
１０  折り丁
２０  印刷役務
３０  申込用紙
３１  記載例
４０  とじ線
１００  申込みカタログ
【図１】
2005153406.tif 000003
【図２】
2005153406.tif 000004
【図３】
2005153406.tif 000005